(57)【特許請求の範囲】
【請求項１】
映像信号と、前記映像信号に埋め込まれコピー可能かコピー禁止かを示すコピー制御情報を有する電子透かし情報と、前記映像信号に挿入されたコピー制御用のＣＧＭＳ信号とが記録されたことを特徴とする記録媒体。
【請求項２】
請求項１記載の記録媒体において、前記電子透かし情報は前記映像信号の予め定められた位置の輝度信号の輝度値を変更させることによって得られることを特徴とする記録媒体。
【請求項３】
請求項２記載の記録媒体において、前記輝度信号の輝度値が変更可能範囲に入っていることを特徴とする記録媒体。
【請求項４】
請求項１記載の記録媒体において、前記電子透かし情報はコピーフリー、一回コピー可能及びコピー禁止のいずれかの情報を有することを特徴とする記録媒体。
【請求項５】
請求項１記載の記録媒体において、前記ＣＧＭＳ信号はコピーフリー、一回コピー可能及びコピー禁止のいずれかの情報を有することを特徴とする記録媒体。
【請求項６】
輝度信号の予め定められた位置の輝度値を変更してコピー可能かコピー禁止かを示すコピー制御情報を埋め込むことによって電子透かし情報を生成するステップと、コピー制御情報を有するＣＧＭＳ信号を映像信号のスキャン領域外に挿入するステップと、前記電子透かし情報と前記ＣＧＭＳ信号と前記映像信号とを記録するステップとを備えることを特徴とするコピー制御情報を備えた映像信号の記録方法。
【請求項７】
請求項６記載のコピー制御情報を備えた映像信号の記録方法において、前記ＣＧＭＳ信号は２ビット以上の信号であることを特徴とするコピー制御情報を備えた映像信号の記録方法。
【請求項８】
映像信号に含まれる輝度信号の輝度値を変化させても視覚的に耐えられる範囲を計算するステップと、予め定められた位置の輝度信号の輝度値を前記算出された範囲内で変更させてコピー制御情報を有する電子透かし情報を生成するステップと、コピー制御情報を有し、映像信号のスキャン領域外に挿入されるＣＧＭＳ信号を生成するステップとを備えることを特徴とするコピー制御情報の記録方法。
【請求項９】
請求項８記載のコピー制御情報の記録方法において、前記ＣＧＭＳ信号は２ビット以上の信号であることを特徴とするコピー制御情報の記録方法。
【請求項１０】
請求項８記載のコピー制御情報の記録方法において、前記ＣＧＭＳ信号は水平同期信号近傍のスキャン領域外に挿入されることを特徴とするコピー制御情報の記録方法。
【請求項１１】
映像信号に含まれる輝度信号の輝度値を変化させても視覚的に耐えられる範囲を計算するステップと、予め定められた位置の輝度信号であって、変更される輝度値が前記算出された範囲内にある場合に、前記輝度値を変更させてコピー制御情報を有する電子透かし情報を生成するステップと、コピー制御情報を有し、映像信号のスキャン領域外に挿入されるＣＧＭＳ信号を生成するステップとを備えることを特徴とするコピー制御情報の記録方法。
【請求項１２】
請求項１１記載のコピー制御情報の記録方法において、前記ＣＧＭＳ信号は２ビット以上の信号であり、水平同期信号近傍のスキャン領域外に挿入されることを特徴とするコピー制御情報の記録方法。
【請求項１３】
輝度信号の輝度値を変更してコピー制御情報が埋め込まれた電子透かし情報と映像信号のスキャン領域外に挿入されたコピー制御情報を有するＣＧＭＳ信号とを備えた映像信号から前記電子透かし情報とＣＧＭＳ信号とを記録媒体から再生して、映像信号の出力を制御するために、前記電子透かし情報を検出するステップと、前記ＣＧＭＳ信号と検出するステップと、前記電子透かし情報から得られたコピー制御情報と前記ＣＧＭＳ信号から得られたコピー制御情報とから合理性に欠ける場合には前記映像信号の出力を遮断するステップとを備えたことを特徴とするコピー制御情報を備えた映像信号の再生方法。
【請求項１４】
請求項１３記載のコピー制御情報を備えた映像信号の再生方法において、前記電子透かし信号及び前記ＣＧＭＳ信号はコピー禁止情報及び一回コピー可能情報のいずれか一方の情報を備えていることを特徴とするコピー制御情報を備えた映像信号の再生方法。
【請求項１５】
請求項１４記載のコピー制御情報を備えた映像信号の再生方法において、前記電子透かし情報から得られた一回コピー可能情報と前記ＣＧＭＳ信号から得られたコピー禁止情報によって前記映像信号を出力して表示するステップを備えることを特徴とするコピー制御情報を備えた映像信号の再生方法。
【請求項１６】
請求項１４記載のコピー制御情報を備えた映像信号の再生方法において、前記電子透かし情報から得られたコピー禁止情報と前記ＣＧＭＳ信号から得られたコピー禁止情報によって前記映像信号を出力して表示するステップを備えることを特徴とするコピー制御情報を備えた映像信号の再生方法。
【請求項１７】
請求項１３記載のコピー制御情報を備えた映像信号の再生方法において、前記ＣＧＭＳ信号が再生されない場合には前記映像信号の出力を遮断することを特徴とするコピー制御情報を備えた映像信号の再生方法。
【請求項１８】
輝度信号の輝度値を変更してコピー禁止及び一回のコピー可能のいずれかの情報が埋め込まれた電子透かし情報と映像信号のスキャン領域外に挿入され、コピー禁止及び一回のコピー可能のいずれかの情報を有するＣＧＭＳ信号とを備えた映像信号から前記電子透かし情報と前記ＣＧＭＳ信号とをディスクから再生して、前記映像信号の出力を制御するために、前記電子透かし情報を検出するステップと、前記ＣＧＭＳ信号を検出するステップと、前記ディスクの種類を判別するステップと、前記前記電子透かし情報から得られたコピー制御情報と前記ＣＧＭＳ信号から得られたコピー制御情報と前記ディスクの種類情報とから合理性に欠ける場合には映像信号の出力を遮断するステップとを備えたことを特徴とするコピー制御情報を備えた映像信号の再生方法。
【請求項１９】
請求項１８記載のコピー制御情報を備えた映像信号の再生方法において、前記ディスクが再生専用ディスクであり、前記電子透かし情報が一回のコピー可能の信号であり、かつ、前記ＣＧＭＳ信号が一回記録可能の信号である場合、前記映像信号を出力させるステップを備えることを特徴とするコピー制御情報を備えた映像信号の再生方法。
【請求項２０】
請求項１８記載のコピー制御情報を備えた映像信号の再生方法において、前記ディスクが記録可能なディスクであり、前記電子透かし情報が一回のコピー可能の信号であり、かつ、前記ＣＧＭＳ信号が一回記録可能の信号である場合、前記映像信号の出力を遮断するステップを備えることを特徴とするコピー制御情報を備えた映像信号の再生方法。
【請求項２１】
輝度信号の輝度値を変更してコピー禁止及び一回のコピー可能のいずれかの情報が埋め込まれた電子透かし情報と映像信号のスキャン領域外に挿入され、コピー禁止及び一回のコピー可能のいずれかの情報を有するＣＧＭＳ信号とを備えた映像信号から前記電子透かし情報と前記ＣＧＭＳ信号とを記録媒体から再生して、前記映像信号の記録を制御するために、前記電子透かし情報に埋め込まれたコピー制御情報を検出するステップと、前記ＣＧＭＳ信号からコピー制御情報を検出するステップと、これらコピー制御情報が合理的な関係にあるか否かを判断するステップと、合理的な関係にある時のみ前記映像信号の記録を許可するステップとを備えることを特徴とするコピー制御情報を備えた映像信号の再生方法。
【請求項２２】
請求項２１記載のコピー制御情報を備えた映像信号の再生方法において、前記合理的な関係を判断するステップは前記電子透かし情報から得られた一回コピー可能情報と前記ＣＧＭＳ信号から得られた一回コピー可能情報をコピー禁止情報に書き換える状況から合理的であると判断することを特徴とするコピー制御情報を備えた映像信号の再生方法。
【請求項２３】
請求項２１記載のコピー制御情報を備えた映像信号の再生方法において、前記合理的な関係を判断するステップは前記電子透かし情報から得られた一回コピー可能情報をコピー禁止に、前記ＣＧＭＳ信号から得られた一回コピー可能情報をコピー禁止情報に書き換える状況から合理的であると判断することを特徴とするコピー制御情報を備えた映像信号の再生方法。
【請求項２４】
映像信号に含まれる輝度信号の輝度値に応じて前記輝度値の変更範囲を計算する変更可能範囲算出回路と、予め定められた位置にある輝度信号の輝度値を前記算出された可変範囲内で変更してコピー制御情報を有する電子透かし情報を埋め込むための情報埋め込み処理回路と、コピー制御情報を有するＣＧＭＳ信号を発生する発生回路と、前記ＣＧＭＳ信号を前記電子透かし情報が埋め込まれた輝度信号のスキャン領域範囲外に加算する加算回路とを備えたことを特徴とするコピー制御情報の記録装置。
【請求項２５】
請求項２４記載のコピー制御情報の記録装置において、前記発生回路は２ビット以上信号から構成されたＣＧＭＳ信号を発生することを特徴とするコピー制御情報の記録装置。
【請求項２６】
映像信号に含まれる輝度信号の輝度値に応じて前記輝度値の変更範囲を計算する変更可能範囲算出回路と、予め定められた位置にある輝度信号の輝度値が前記算出された可変範囲内にある時に前記輝度信号の輝度値を変更してコピー制御情報を有する電子透かし情報を埋め込むための情報埋め込み処理回路と、コピー制御情報を有するＣＧＭＳ信号を発生する発生回路と、前記ＣＧＭＳ信号を前記電子透かし情報が埋め込まれた前記輝度信号のスキャン領域範囲外に加算する加算回路とを備えたことを特徴とするコピー制御情報の記録装置。
【請求項２７】
請求項２６記載のコピー制御情報の記録装置において、前記発生回路は２ビット以上信号から構成されたＣＧＭＳ信号を発生することを特徴とするコピー制御情報の記録装置。
【請求項２８】
輝度信号の輝度値を変更してコピー制御情報が埋め込まれた電子透かし情報と映像信号のスキャン領域外に挿入されたコピー制御情報を有するＣＧＭＳ信号とを備えた映像信号から前記電子透かし情報とＣＧＭＳ信号とを記録媒体から再生して、映像信号の出力を制御するために、前記記録媒体から再生された前記映像信号を処理する回路と、電子透かし検出回路と、前記ＣＧＭＳ信号を検出するためのＣＧＭＳ信号検出回路と、前記検出された電子透かし情報と前記検出されたＣＧＭＳ信号とから前記映像信号処理回路を制御する出力制御回路とを備えることを特徴とするコピー制御情報を備えた映像信号の処理装置。
【請求項２９】
輝度信号の輝度値を変更してコピー禁止及び一回のコピー可能のいずれかの情報が埋め込まれた電子透かし情報と映像信号のスキャン領域外に挿入され、コピー禁止及び一回のコピー可能のいずれかの情報を有するＣＧＭＳ信号とを備えた映像信号から前記電子透かし情報と前記ＣＧＭＳ信号とを記録媒体から再生して、前記映像信号の出力を制御するために、前記記録媒体から取り出された前記映像信号を処理する映像信号処理回路と、前記電子透かし情報を検出する電子透かし情報検出回路と、前記ＣＧＭＳ信号を検出するＣＧＭＳ信号検出回路と、前記電子透かし情報検出回路の出力と前記ＣＧＭＳ信号検出回路の出力が入力され、前記映像信号処理回路の映像信号出力のオン、オフを制御する出力制御回路とを備えたことを特徴とするコピー制御情報を備えた映像信号の処理装置。
【請求項３０】
請求項２９記載のコピー制御情報を備えた映像信号の処理装置において、前記出力制御回路は前記電子透かし情報から得られた一回コピー可能情報と前記ＣＧＭＳ信号から得られたコピー禁止情報によって、映像信号を出力させるように前記映像信号処理回路を制御することを特徴とするコピー制御情報を備えた映像信号の処理装置。
【請求項３１】
請求項２９記載のコピー制御情報を備えた映像信号の処理装置において、前記出力制御回路は、前記電子透かし情報から得られたコピー禁止情報と前記ＣＧＭＳ信号から得られたコピー禁止情報によって、前記映像信号を出力させるように前記映像信号処理回路を制御することを特徴とするコピー制御情報を備えた映像信号の処理装置。
【請求項３２】
請求項２９記載のコピー制御情報を備えた映像信号の処理装置において、前記出力制御回路は、前記ＣＧＭＳ信号が検出されない時には前記映像信号を出力させないように前記映像信号処理回路を制御することを特徴とするコピー制御情報を備えた映像信号の処理装置。
【請求項３３】
請求項２９記載のコピー制御情報を備えた映像信号の処理装置において、前記記録媒体が記録可能な媒体である場合、前記出力制御回路は前記電子透かし情報から得られた一回コピー可能情報と前記ＣＧＭＳ信号から得られた一回コピー可能情報によって、前記映像信号を出力させないように前記映像信号処理回路を制御することを特徴とするコピー制御情報を備えた映像信号の処理装置。
【請求項３４】
請求項２９記載のコピー制御情報を備えた映像信号の処理装置において、前記記録媒体が再生専用の媒体である場合、前記出力制御回路は前記電子透かし情報から得られた一回コピー可能情報と前記ＣＧＭＳ信号から得られた一回コピー可能情報によって、前記映像信号を出力させるように前記映像信号処理回路を制御することを特徴とするコピー制御情報を備えた映像信号の処理装置。
【請求項３５】
輝度信号の輝度値を変更してコピー制御情報が埋め込まれた電子透かし情報と映像信号のスキャン領域外に挿入されたコピー制御情報を有するＣＧＭＳ信号とを備えた映像信号から前記電子透かし情報と前記ＣＧＭＳ信号とを記録媒体から再生して、前記映像信号の出力を制御するために、前記記録媒体から再生された前記映像信号を処理する回路と、前記電子透かし情報を検出するための電子透かし情報検出回路と、前記ＣＧＭＳ信号を検出するためのＣＧＭＳ信号検出回路と、前記検出された前記電子透かし情報と前記検出された前記ＣＧＭＳ信号とから前記映像信号処理回路を制御する出力制御回路と、ディスクの種類を判別する回路とを備えることを特徴とするコピー制御情報を備えた映像信号の処理装置。
【請求項３６】
請求項３５記載のコピー制御情報を備えた映像信号の処理装置において、前記ディスク種類判別回路の出力が記録可能なディスクを示す信号である場合、前記出力制御回路は前記電子透かし情報から得られた一回コピー可能情報と前記ＣＧＭＳ信号から得られた一回コピー可能情報によって、前記映像信号を出力させないように前記映像信号処理回路を制御することを特徴とするコピー制御情報を備えた映像信号の処理装置。
【請求項３７】
請求項３５記載のコピー制御情報を備えた映像信号の処理装置において、前記ディスク種類判別回路の出力が再生専用ディスクを示す信号である場合、前記出力制御回路は前記電子透かし情報から得られた一回コピー可能情報と前記ＣＧＭＳ信号から得られた一回コピー可能情報によって、前記映像信号を出力させるように前記映像信号処理回路を制御することを特徴とするコピー制御情報を備えた映像信号の処理装置。
【請求項３８】
輝度信号の輝度値を変更してコピー禁止及び一回のコピー可能のいずれかの情報が埋め込まれた電子透かし情報と映像信号のスキャン領域外に挿入され、コピー禁止及び一回のコピー可能のいずれかの情報を有するＣＧＭＳ信号とを備えた前記映像信号から前記電子透かし情報と前記ＣＧＭＳ信号とを記録媒体から再生して、前記映像信号の記録を制御するために、前記記録媒体から取り出された前記映像信号を処理する映像信号処理回路と、記録媒体電子透かし情報を検出するための電子透かし検出回路と、前記ＣＧＭＳ信号を検出するための回路と、前記検出された前記ＣＧＭＳ信号の世代を更新する世代更新回路と、前記電子透かし検出回路、前記世代更新回路、及び前記映像信号処理回路の出力が供給され、世代書き換えを行うと共に前記映像信号の出力を制御する書き換え及び制御回路とを備え、前記電子透かし信号と前記ＣＧＭＳ信号によって前記映像信号の出力可否を制御することを特徴とするコピー制御情報を備えた映像信号の処理装置。
【請求項３９】
請求項３８記載のコピー制御情報を備えた映像信号の処理装置において、前記書き換え及び制御回路は前記電子透かし情報から得られた一回コピー可能情報と前記ＣＧＭＳ信号から得られた一回コピー可能情報とによって、前記書き換え及び制御回路から前記映像信号を出力し、前記ＣＧＭＳ信号の一回記録可能情報をコピー禁止情報に書き換えることを特徴とするコピー制御情報を備えた映像信号の処理装置。
【請求項４０】
請求項３８記載のコピー制御情報を備えた映像信号の処理装置において、前記書き換え及び制御回路は前記電子透かし情報から得られた一回コピー可能情報と前記ＣＧＭＳ信号から得られた一回コピー可能情報とによって、前記書き換え及び制御回路から前記映像信号を出力し、前記電子透かし情報から得られた一回コピー可能情報をコピー禁止に、前記ＣＧＭＳ信号の一回記録可能情報をコピー禁止情報に書き換えることを特徴とするコピー制御情報を備えた映像信号の処理装置。
【請求項４１】
コピー可能かコピー禁止かを示すコピー制御用に生成された制御信号と、電子透かし情報として映像信号に埋め込まれたコピー制御情報を処理するために、前記映像信号を再生する時に検出された前記制御信号と、前記映像信号に埋め込まれた電子透かし情報から検出されたコピー制御情報とを比較して、所定の関係にある時のみ映像信号を出力する手段を備えることを特徴とする記録再生装置。
【請求項４２】
請求項４１記載の記録再生装置において、前記電子透かし情報を検出し、直接検出された前記ビット生成手段による信号が一世代コピー可能を示した時のみ前記ビット生成手段による信号を変更する手段と、前記変更された信号、前記入力された電子透かし記録信号及び画像信号を同時に記録し、それ以降の記録を不可能な動作とする手段とを備えたことを特徴とする記録再生装置。
【請求項４３】
請求項４２記載の記録再生装置において、前記ビット生成手段による信号は一世代コピー可能を示した時のみこれ以上の記録を不可とする信号に書き換えられて、前記入力された電子透かし記録信号及び前記映像信号と同時に記録されることを特徴とする記録再生装置。
【請求項４４】
電子透かし情報が埋め込まれた映像信号と、コピー制御用のビットが書き込まれたディスクから前記映像信号を再生するために、電子透かし情報検出手段と、ビット生成手段によって記録された信号を検出する手段と、前記ディスクを判別するためのディスク判別手段と、前記ディスク判別手段によって、前記ディスクが再生専用であり、前記電子透かし情報と前記ビット生成手段による情報が一致する場合に前記ディスクに書き込まれた前記映像信号を再生する手段とを備えることを特徴とする再生装置。
【請求項４５】
電子透かし情報が埋め込まれた映像信号と、コピー制御用のビットが書き込まれたディスクから前記映像信号を再生するために、電子透かし情報検出手段と、ビット生成手段によって記録された信号を検出する手段と、前記ディスクを判別するためのディスク判別手段と、前記ディスク判別手段によって、前記ディスクが記録再生可能であり、前記電子透かし情報と前記ビット生成手段による情報が一致した場合及び検出された前記ビット生成手段による信号の一世代コピー可能が正しく変更されている場合に前記映像信号を再生する手段とを備えることを特徴とする再生装置。
【請求項４６】
請求項４５記載の再生装置において、前記ディスクが記録再生可能な場合には、前記電子透かし情報が一世代コピー可能情報であり、前記ビット生成手段の情報がこれ以上のコピーを禁止する情報の時にのみ再生する手段を備えることを特徴とする再生装置。
【請求項４７】
請求項４５記載の再生装置において、前記ビット生成手段は前記映像信号上に多重されて記録されていることを特徴とする再生装置。
【発明の詳細な説明】
【０００１】
【発明の属する技術分野】
本発明は、原画像の再生制御、又は記録制御、あるいはその画像の出所を明確にするために、画像データ、特に映像信号上に重畳、又は埋め込まれた別の情報、すなわち電子透かし情報及び世代管理信号を含むコピー制御情報を備えた映像信号の記録再生方法、記録再生装置及び処理装置並びに記録媒体に関するものである。
【０００２】
【従来の技術】
映像信号に電子透かし（ｗａｔｅｒ  ｍａｒｋ、ｄａｔａ  ｈｉｄｉｎｇ又はｅｍｂｅｄｄｉｎｇ）情報を埋め込むために幾つかの方法が提案されており、その代表的なものとしては映像情報メディア学会技術報告(ＩＴＥ  Ｔｅｃｈｎｉｃａｌ  Ｒｅｐｏｒｔ  Ｖｏｌ  ２１．Ｎｏ３１．ｐｐ３〜８  データハイディング技術)に記載されている。また、従来の情報埋込み技術としては、日経エレクトロニクス（1997年）６８３号９９頁から107頁に記載されている。これら従来技術においては、画像の統計的性質を利用して映像信号の一部に本来の映像信号が持っている情報とは異なる情報を映像信号の中に埋め込み、再生時にこの埋め込んだ情報を使って本来の画像の出所やさらに進んで再生の可否を決める制御信号を得ることが示されている。
この従来技術においては、画像の統計的性質を利用して画像の一部に本来の画像が持っている情報とは異なる情報を画像の中に埋め込み、再生時にこの埋め込んだ情報を使って本来の画像の出所やさらに進んで再生の可否を決める制御信号を発生することが示されている。
【０００３】
【発明が解決しようとする課題】
一般に広く認められているコピー制御には、全面的なコピー禁止と一回のコピーのみ許容するものがある。後者は世代管理（ＣＧＭＳ：Ｃｏｐｙ  Ｇｅｎｅｒａｔｉｏｎ  Ｍａｎａｇｅｍｅｎｔ  ｓｙｓｔｅｍ）と位置づけられ、一回限りののコピーを許容する場合には、コピー動作時にこの信号は「一回コピー可」から「これ以上のコピーは不可」とする信号に書き換えられる。
しかしながら、上記の文献にはこのような技術と電子透かし情報とを組み合わせてコピー制御を行うことにについては記載されていない。
【０００４】
本発明の目的は再生の可否を容易に行う事ができるコピー制御情報を備えた映像信号の記録再生方法、記録再生装置及び処理装置並びに記録媒体を提供する事にある。
本発明の他の目的は電子透かし情報及び世代管理信号等のコピー制御情報を備えた映像信号の記録再生方法、記録再生装置及び処理装置並びに記録媒体を提供することにある。
本発明のさらに他の目的は、コピー制御情報を不正操作した場合に再生信号の出力を禁止することが出来るコピー制御情報を備えた映像信号の再生方法、再生装置及び処理装置を提供することにある。
本発明のさらに他の目的は、ＶＴＲやビデオディスクなどでいったん記録された映像信号の輝度信号に含まれるコピー制御情報をもちいて世代管理を考慮したコピー制御を行うことが出来る映像信号の再生方法、再生装置及び処理装置を提供することにある。
【０００５】
【発明を解決するための手段】
本発明の目的を達成するために、本発明による記録媒体は、映像信号と、前記映像信号に埋め込まれ、コピー制御情報を有する電子透かし情報と、前記映像信号に挿入されたコピー制御用のＣＧＭＳ信号とが記録されている。この電子透かし情報は映像信号の予め定められた位置の輝度信号の輝度値を変更させることによって得られる。好ましくは、この輝度信号の輝度値の変更範囲は変更可能範囲に設定される。ＣＧＭＳ信号は映像信号のスキャン領域外に挿入される。好ましくは、このＣＧＭＳ信号は水平同期信号近傍のスキャン領域外に挿入される。また、好ましくは、このＣＧＭＳ信号は２ビット以上のビット数を有する信号である。この電子透かし情報はコピーフリー、一回コピー可能及びコピー禁止のいずれかの情報を持っている。また、このＣＧＭＳ信号はコピーフリー、一回コピー可能及びコピー禁止のいずれかの情報を持っている。
【０００６】
本発明による記録方法は、輝度信号の予め定められた位置の輝度値を変更して前記輝度信号にコピー制御情報を埋め込むことによって電子透かし情報を生成するステップと、コピー制御情報を有するＣＧＭＳ信号を映像信号のスキャン領域外に挿入するステップとを備えている。
本発明よる記録方法は、映像信号に含まれる輝度信号の輝度値を変化させても視覚的に耐えられる範囲を計算するステップと、予め定められた位置の輝度信号の輝度値を前記算出された範囲内で変更させてコピー制御情報を有する電子透かし情報を生成するるステップと、コピー制御情報を有し、映像信号のスキャン領域外に挿入されるＣＧＭＳ信号を生成するステップとを備えている。
また、本発明による記録方法は、映像信号にふくまれる輝度信号の輝度値を変化させても視覚的に耐えられる範囲を計算するステップと、予め定められた位置の輝度信号であって、変更される輝度値が前記算出された範囲内にある場合に、前記輝度値を変更させてコピー制御情報を有する電子透かし情報を生成するステップと、コピー制御情報を有し、映像信号のスキャン領域外に挿入されるＣＧＭＳ信号を生成するステップとを備えている。
【０００７】
本発明による再生方法は、輝度信号の輝度値を変更してコピー制御情報が埋め込まれた電子透かし情報と映像信号のスキャン領域外に挿入されたコピー制御情報を有するＣＧＭＳ信号とを備えた映像信号から前記電子透かし情報とＣＧＭＳ信号とを記録媒体から再生して、映像信号の出力を制御するために、前記電子透かし情報を検出するステップと、前記ＣＧＭＳ信号と検出するステップと、前記電子透かし情報からえられたコピー制御情報と前記ＣＧＭＳ信号から得られたコピー制御情報とから合理性に欠ける場合には映像信号の出力を遮断するステップとを備えている。この電子透かし信号及びＣＧＭＳ信号はコピー禁止情報及び一回コピー可能情報のいずれか一方の情報を備えている。更に、この電子透かし情報から得られた一回コピー可能情報とＣＧＭＳ信号から得られたコピー禁止情報によって映像信号を出力して表示するステップを備えている。また、電子透かし情報から得られたコピー禁止情報とＣＧＭＳ信号から得られたコピー禁止情報によって映像信号を出力して表示するステップを備えている。ＣＧＭＳ信号が再生されない場合には映像信号の出力を遮断するステップを備えている。
【０００８】
また、本発明の再生方法においては、ディスクの種類を判別するステップと、電子透かし情報からえられたコピー制御情報とＣＧＭＳ信号から得られたコピー制御情報とディスクの種類情報から合理性に欠ける場合には映像信号の出力を遮断するステップとを備えている。ディスクが再生専用ディスクであり、電子透かし情報が一回のコピー可能の信号であり、かつ、ＣＧＭＳ信号が一回記録可能の信号である場合、前記映像信号を出力させるステップを備えている。ディスクが記録可能なディスクであり、電子透かし情報が一回のコピー可能の信号であり、かつ、ＣＧＭＳ信号が一回記録可能の信号である場合、前記映像信号の出力を遮断するステップを備えている。
【０００９】
本発明の再生方法においては、輝度信号の輝度値を変更してコピー禁止及び一回のコピー可能のいずれかの情報が埋め込まれた電子透かし情報とコピー禁止及び一回のコピー可能のいずれかの情報を有するＣＧＭＳ信号とを備えた映像信号から電子透かし情報とＣＧＭＳ信号とを記録媒体から再生して、映像信号の記録を制御するために、前記電子透かし情報に埋め込まれたコピー制御情報を検出するステップと、前記ＣＧＭＳ信号からコピー制御情報を検出するステップと、これらコピー制御情報が合理的な関係にあるか否かを判断するステップと、合理的な関係にある時のみ前記映像信号の記録を許可するステップとを備えている。合理的な関係を判断するステップは電子透かし情報から得られた一回コピー可能情報とＣＧＭＳ信号から得られた一回コピー可能情報をコピー禁止情報に書き換える状況から合理的であると判断する。また、電子透かし情報から得られた一回コピー可能情報をコピー禁止に、ＣＧＭＳ信号から得られた一回コピー可能情報をコピー禁止情報に書き換える状況から合理的であると判断する。
【００１０】
本発明による記録装置は、映像信号に含まれる輝度信号の輝度値に応じて輝度値の変更範囲を計算する変更可能範囲算出回路と、予め定められた位置にある輝度信号の輝度値を算出された可変範囲内で変更してコピー制御情報を有する電子透かし情報を埋め込むための情報埋め込み処理回路と、コピー制御情報を有するＣＧＭＳ信号を発生する発生回路と、ＣＧＭＳ信号を電子透かし情報が埋め込まれた輝度信号のスキャン領域範囲外に加算する加算回路とを備えている。
【００１１】
また、本発明による記録装置は、映像信号に含まれる輝度信号の輝度値に応じて前記輝度値の変更範囲を計算する変更可能範囲算出回路と、予め定められた位置にある輝度信号の輝度値が算出された可変範囲内にある時に輝度信号の輝度値を変更してコピー制御情報を有する電子透かし情報を埋め込むための情報埋め込み処理回路と、コピー制御情報を有するＣＧＭＳ信号を発生する発生回路と、ＣＧＭＳ信号を電子透かし情報が埋め込まれた輝度信号のスキャン領域範囲外に加算する加算回路とを備えている。
【００１２】
本発明によるコピー制御情報を備えた映像信号の処理装置は、輝度信号の輝度値を変更してコピー制御情報が埋め込まれた電子透かし情報と映像信号のスキャン領域外に挿入されたコピー制御情報を有するＣＧＭＳ信号とを備えた映像信号から前記電子透かし情報とＣＧＭＳ信号とを記録媒体から再生して、映像信号の出力を制御するために、記録媒体から再生された映像信号を処理する回路と、電子透かし検出回路と、ＣＧＭＳ信号を検出するためのＣＧＭＳ信号検出回路と、検出された電子透かし情報と検出されたＣＧＭＳ信号とから映像信号処理回路を制御する出力制御回路とを備えている。出力制御回路は電子透かし情報からえられた一回コピー可能情報とＣＧＭＳ信号から得られたコピー禁止情報によって、映像信号を出力させるように前記映像信号処理回路を制御する。また、出力制御回路は電子透かし情報からえられたコピー禁止情報とＣＧＭＳ信号から得られたコピー禁止情報によって、映像信号を出力させるように映像信号処理回路を制御する。出力制御回路はＣＧＭＳ信号が検出されない時には映像信号を出力させないように前記映像信号処理回路を制御する。記録媒体が記録可能な媒体である場合、出力制御回路は電子透かし情報からえられた一回コピー可能情報とＣＧＭＳ信号から得られた一回コピー可能情報によって、映像信号を出力させないように映像信号処理回路を制御する。また、記録媒体が再生専用の媒体である場合、出力制御回路は電子透かし情報からえられた一回コピー可能情報とＣＧＭＳ信号から得られた一回コピー可能情報によって、映像信号を出力させるように映像信号処理回路を制御する。この処理装置はディスクの種類を判別する回路とを備えている。ディスク種類判別回路の出力が記録可能なディスクを示す信号である場合、出力制御回路は電子透かし情報からえられた一回コピー可能情報とＣＧＭＳ信号から得られた一回コピー可能情報によって、映像信号を出力させないように前記映像信号処理回路を制御する。また、ディスク種類判別回路の出力が再生専用ディスクを示す信号である場合、出力制御回路は電子透かし情報からえられた一回コピー可能情報とＣＧＭＳ信号から得られた一回コピー可能情報によって、映像信号を出力させるように前記映像信号処理回路を制御する。
【００１３】
本発明による処理装置は、ＣＧＭＳ信号の世代を更新する回路と、映像信号の出力を制御する書き換え及び制御回路とを備え、電子透かし信号とＣＧＭＳ信号によって映像信号の出力可否を制御している。この書き換え及び制御回路は電子透かし情報から得られた一回コピー可能情報とＣＧＭＳ信号から得られた一回コピー可能情報とによって、書き換え及び制御回路から映像信号を出力し、ＣＧＭＳ信号の一回記録可能情報をコピー禁止情報に書き換えている。書き換え及び制御回路は電子透かし情報から得られた一回コピー可能情報とＣＧＭＳ信号から得られた一回コピー可能情報とによって、書き換え及び制御回路から映像信号を出力し、電子透かし情報から得られた一回コピー可能情報をコピー禁止に、ＣＧＭＳ信号の一回記録可能情報をコピー禁止情報に書き換えている。
【００１４】
本発明による記録再生装置は、コピー制御用のビットとこのビットによって生成された制御信号が埋め込まれた電子透かし情報とから構成されるコピー制御情報が設けられた映像信号を記録し、映像信号を再生する時に直接検出されたビットと、電子透かし情報を検出した信号とを比較して、所定の関係にある時のみ映像信号を出力する。電子透かし情報を検出し、直接検出されたビットによる信号が一世代コピー可能を示した時のみビット生成手段による信号を変更すし、変更された信号、入力された電子透かし記録信号及び映像信号を同時に記録し、それ以降の記録を不可能な動作とする。ビットは一世代コピー可能を示した時のみこれ以上の記録を不可とする信号に書き換えられて、電子透かし記録信号及び映像信号と同時に記録される。
【００１５】
本発明による再生装置は、電子透かし情報が記録された映像信号と、コピー制御用のビットが書き込まれたディスクから映像信号を再生するために、電子透かし情報検出手段と、ビット生成手段によって記録された信号を検出する手段と、ディスクを判別するためのディスク判別手段と、ディスク判別手段によって、ディスクが再生専用であり、電子透かし情報とビット情報が一致する場合にディスクに書き込まれた映像信号を再生する。また、ディスク判別手段によって、ディスクが記録再生可能であり、電子透かし情報とビット情報が一致した場合及び検出されたビット情報段による信号の一世代コピー可能が正しく変更されている場合に映像信号を再生する。ディスクが記録再生可能な場合には、電子透かし情報が一世代コピー可能情報であり、ビット生成手段の情報がこれ以上のコピーを禁止する情報の時にのみ映像信号が再生される。
【００１６】
【発明の実施の形態】
以下、本発明によるコピー制御情報を備えた映像信号の記録再生方法、記録再生装置及び処理装置並びに記録媒体の実施の形態について、実施例を用い、図面を参照して説明する。
【００１７】
まず、本発明による電子透かし情報の記録装置の一実施例について説明する。図１は本発明による電子透かし情報の記録装置の一実施例を示すブロック図であり、この実施例では、画素の輝度を変更して電子透かし情報を埋め込んでいる。
図１において、入力回路１に映像信号が入力される。この入力回路１から輝度信号が取り出され、変更可能範囲算出回路３に供給され、この輝度信号に基づいて、輝度信号を変更しても視覚的にあまり影響のない範囲を計算する。輝度変化の大きい部分では輝度信号を大きく変化させても視覚的にはあまり変化しないが、輝度変化の少ない部分では輝度の変化量も小さくしないと視覚的に目立つので、この変更可能範囲算出回路３ではこれを考慮して変更可能範囲を計算する。この変更可能範囲算出回路３は計算機のＣＰＵで実現できる。この変更可能範囲算出回路３からの計算結果は情報埋込み処理回路５に供給され変更可能範囲内にある場合には映像信号の輝度を変えて電子透かし情報を輝度信号に埋め込む処理を行う。輝度信号を加工して電子透かし情報が埋め込まれた映像信号は一画面分の処理が終わるまで情報埋め込み処理回路５のメモリに記憶された後出力される。また、この回路において、変更可能範囲算出回路３での算出処理は以下のようにして処理される。
【００１８】
（１）画像のエッジの変化が大きい所ではエッジ信号の振幅を大きく変化させても視覚的にはあまり変わらない。逆に、画像のエッジの変化が少ない所ではエッジ信号の振幅を大きく変えると視覚的に画像は大きく変化する。
（２）画像の変更範囲は、画像が視覚的に変化しない範囲、又は画像が視覚的に変化したとしても視聴の妨げにはならない範囲にとどめる。
このようにして電子透かし情報を埋め込むと、原画像と輝度は異なるが、視覚的には変わらない画像が得られる。また、変更可能範囲算出回路３は、各画素毎に、画像処理適用前の輝度と適用後の輝度を記憶し、これが変更可能範囲にあるか否かを確認し、変更可能範囲に入る場合にのみ輝度信号の変更を行う。
情報埋込み処理回路５は、まず、画像を構成する画素のうち輝度を変更する画素を選択する。次に、選択された各画素の内、輝度が変更可能範囲内にある画素について、輝度を特定値に変更することによって情報を埋め込む。その結果、電子透かし情報が埋め込まれた映像信号が得られる。
７は世代管理信号発生回路であり、２ビットの世代管理信号またはＣＧＭＳ（Ｃｏｐｙ  Ｇｅｎｅｒａｔｉｏｎ  Ｍａｎａｇｅｍｅｎｔ  Ｓｙｓｔｅｍ）信号を発生する。この世代管理信号は加算回路９で情報埋め込み処理回路５から出力された電子透かし情報が埋め込まれた映像信号と色信号回路１１から出力された色度信号と加算され、出力回路１２を通して記録媒体（図示せず）に記録される。
【００１９】
次に、図２を用いて、情報埋込み処理回路５における輝度の変更方法について説明する。
図２は画素の輝度値を直線表示した模式図である。図において、一つの画素の輝度の値は０〜２５５まであるとする。本実施例では、この直線上の白い円の値は１６の倍数に相当する輝度であり、埋込み情報“０”に対応する。黒い点の値は（１６の倍数＋８）の値に相当する点であり、埋込み情報“１”に対応するものとする。
最初に、情報埋込み処理回路５の基本動作に付いて説明する。電子透かし情報を得るには画像の画素に対応する輝度を、最近傍の白または黒の円に変更する必要がある。すなわち、その画素に埋め込みたい情報が“０”の場合には白円に変更し、“１”の場合には黒円に変更する。例えば、画素の輝度が図中の△の値、すなわち３０の場合で、埋め込みたい情報が“０”の場合には、その画素の輝度を３２に変更し、埋め込みたい情報が“１”の場合には、その輝度を２４に変更する。
次に、変更可能範囲算出回路３の利用について説明する。電子透かし情報を埋め込む場合、画素の輝度の変更が大きすぎて画像が視覚的に変化する場合がある。これを防止するために、画素の値を変更できる範囲を変更可能範囲内とする必要がある。例えば、図２において、画素の輝度△の値が３０で、その画素の輝度の変更可能範囲が２６〜３３であるとする。この場合、埋め込みたい情報が“０”の場合には、上記の基本動作通りに、その画素の輝度を３２に変更しても差し支えない。しかし、埋め込みたい情報が“１”の場合には、変更先の輝度２４が変更可能範囲に含まれていないので、この場合には２４に最も近い値２６に変更する。又は、この画素の輝度を変化させることをあきらめて、予め定められた他の画素の輝度を変更する。
【００２０】
さらに、透かし挿入画像、すなわち電子透かし情報が埋め込まれた映像信号から電子透かし情報を抽出する方法について説明する。最初に、画素の輝度値が変更された画素を選択する。輝度が変更される画素の位置は予め定められているので、水平同期信号に基づいて得られたパルスによって選択することができる。すなわち、情報埋込み処理回路５における画素選択と同じ規則に従って輝度が変更された画素を選択する。
次に、選択された各画素について、その輝度信号を取り出し、その値が、１６の倍数か（１６の倍数＋８）のいずれに近いかで、埋め込まれた情報が“０”か“１”かを判定する。
上述のように、情報埋込み処理回路６５は変更可能な範囲内で輝度を変更しているので、輝度を１６の倍数または（１６の倍数＋８）に正確に変更できない場合がある。そのため、情報の抽出において、誤りが生じる。しかしながら、この問題は同じ情報を複数の画素に重複して埋め込み、抽出において多数決を行うことによって解決できる。
【００２１】
次に、図３（ａ）、図３（ｂ）をもちいて、世代管理信号の一実施例について説明する。
図３（ａ）は世代管理信号が挿入された垂直期間のテレビジョン信号の概略の一実施例を示す模式図である。図３（ｂ）は図３（ａ）の一部拡大図である。
図３（ａ）において、世代管理信号（ＣＧＭＳ信号と略称する。)３１、３５は例えば、垂直同期信号３２の第１７番目、１８番目の水平同期期間の画面上部のスキャン範囲外の期間に挿入されている。従って、このＣＧＭＳ信号３１、３５は通常画面には現れない。なお、３３は映像信号である。
【００２２】
図３（ｂ）において、ＣＧＭＳ信号３１は３１ａ、３１ｂからなる２ビットの信号である。この図において、３４は映像信号が配置されているエリアである。図３（ａ）、図３（ｂ）に示すテレビジョン信号は光ディスクまたはビデオテープなどの記録媒体に記録される。
【００２３】
ＣＧＭＳ信号は三つのモード、すなわち、（１）コピーフリー、（２）一回コピー可能、（３）これ以上のコピー禁止モードを表す必要がある。
また、（２）一回コピー可能の場合にはコピー時にこの信号を（３）これ以上のコピー禁止と書き換える事が必要になる。これを世代更新という。
また（３）これ以上のコピー禁止モードでコピーした場合にはコピー動作は禁止されなければならない。そのために、図３（ａ）、図３（ｂ）に示すＣＧＭＳ信号３１，３５は２ビットの制御信号から構成されている。テレビジョン信号をコピーするための記録装置又は再生装置に設けられている電子透かし及びＣＧＭＳ信号の処理装置でこのＣＧＭＳ信号をみて再生可能か判断する。
世代更新とはＣＧＭＳ信号を例えば、一回コピー可能のビット”１０”をこれ以上コピー禁止ビット”１１”に書き換える事を意味する。
以上述べた電子透かし情報は原画像の再生または記録制御情報、更にはその画像の出所を明確にする情報が含まれており、ＣＧＭＳ信号にはコピーフリー、一回コピー可能、これ以上のコピー禁止などの情報が含まれているが、以下の説明においてはこれら両方の情報を含めて、コピー制御情報という。
通常ＣＧＭＳ信号あるいは電子透かし情報のどちらか一方の制御信号を使用してコピー制御を行えば十分であると考えがちであるが、この制御信号の片方、例えば、ＣＧＭＳ信号のみを採用する場合には、この信号は容易に書き換えられるため、希望したコピー制御とは異なる制御を行う場合がある。世代更新をしなければならない状況、例えば一回コピーしたにも関わらず、ＣＧＭＳ信号の世代更新を行なわない場合、一回コピー可能のまま何度でもコピーが可能になってしまう。
【００２４】
電子透かし情報は映像信号に含まれる輝度信号の輝度を変えているため、この電子透かし情報を世代更新することは困難である。例えば電子透かし情報が一回コピー可能を現している場合、この信号の世代更新は困難であるため、何回でもコピーが可能になってしまう。この場合このＣＧＭＳ信号の世代更新をすることによって、再度のコピーを禁止することができる。
電子透かし情報を更新する回路が再生装置又はコピーをするための記録装置に採用されている場合には、電子透かし情報を世代更新することができる。この場合にはより明確にコピー禁止、又は再生禁止をすることが出来る。
ＣＧＭＳ信号を更新すべき状況にも拘わらず、このＣＧＭＳ信号の世代更新を怠った場合には、電子透かし情報とＣＧＭＳ信号の内容が同じになるため、これを検出して再度のコピー禁止または再生禁止を行うことができる。
このような場合を考えて、電子透かし情報とＣＧＭＳ信号を使用してのコピー制御が考えられた。
【００２５】
以下、電子透かし情報とＣＧＭＳ信号を用いたコピー制御について、図４に示す本発明によるコピー制御情報処理装置をもちいて説明する。
図４は本発明によるコピー制御情報を備えた映像信号の処理装置の一実施例を示すブロック図である。
図４において、ディスク４０は記録可能なディスク、例えばＲＡＭディスク又は再生専用ディスク、例えばＲＯＭディスクである。記録可能なディスクの場合、このディスク４０には、ディジタル放送信号が記録されている。このディジタル放送信号には一回コピー可能とする電子透かし情報と一回コピー可能とするＣＧＭＳ信号が記録されていると仮定する。再生専用ディスクの場合にはコピー禁止の電子透かし情報とコピー禁止のＣＧＭＳ信号が記録されている。ディスク４０に記録された映像信号は光ピックアップ４１で取り出され、信号読み出し回路４２で読み出され、映像信号処理回路４３で読み出された信号から映像信号を出力している。
【００２６】
一般に、ディスク４０から読み出された信号はＭＰＥＧ処理が施されているが、このＭＰＥＧ処理された信号は信号読み出し回路４２でＭＰＥＧ処理が解除されて伸張される。すなわち、信号読み出し回路４２の出力端子４４にはＭＰＥＧ処理が施された信号が出力され、端子４５からはＭＰＥＧ処理が解除された信号が出力される。端子４４または端子４５に取り出された信号はスイッチ４６によって選択されて電子透かし検出回路４７に供給され、この回路４７で電子透かし情報が検出される。なお、図４の回路において、スイッチ４６を設けたのは、ＭＰＥＧ処理が施された信号を電子透かし回路４７に入力しても良いし、ＭＰＥＧ処理がデコードされた信号を用いても良いことを示すためのものであり、通常電子透かし回路４７は端子４４又は端子４５のいずれか一方の端子に接続される。
【００２７】
ＣＧＭＳ信号検出回路４８には映像信号処理回路４３から映像信号が供給され、この回路４８で、映像信号内に記憶されているＣＧＭＳ信号３１ａ、３１ｂ、又は３５が検出される。
このようにして検出された電子透かし信号及びＣＧＭＳ信号は出力制御回路４９に入力され、この回路４９で二つの信号が比較され、その合理性がチェックされる。なお、映像信号処理回路４３の出力端子５０には、画像を再生するためのディスプレイ（図示せず）、又は端子５０から取り出された映像信号を記録するための記録装置（図示せず）が接続される。また、５１は、ディスク４０を回転させるためのモータである。
【００２８】
以下にそのチェック内容について説明する。
ディスク４０が再生専用ディスクの場合、一般的にその記録内容のコピーは許されていないのが通常である。従って再生専用ディスクの電子透かし情報はコピー不可となっている。よって、このような場合は電子透かし情報によって出力制御回路４９はコピーが禁止されるように制御される。
ディスク４０が再生専用ディスクで一回のコピーか許可されている場合には、出力端子５０から記録装置（図示せず）に記録されながらＣＧＭＳ信号は世代更新される。これについては図７に示す別の実施例を用いて説明する。
記録可能なディスク、例えばＲＡＭディスクの場合には、ディジタル放送などを一次記録した記録媒体から再度コピーすることが考えられる。この場合、一般のディジタル放送信号には一回だけのコピーを許容するＣＧＭＳ信号と電子透かし情報が挿入されており、一次記録のときに、ＣＧＭＳ信号は世代更新され、コピー禁止になっているはずである。
【００２９】
端子５０をディスプレイに接続して、この記録可能なディスクから映像信号を再生する場合、再生信号、又はＣＧＭＳ信号に作為的な改竄が施された時には再生を禁止することが望まれている。
再生装置側の電子透かし検出回路４７からは一回限りのコピー許可する電子透かし情報が検出され、ＣＧＭＳ信号検出回路４８からは世代更新されたＣＧＭＳ信号、すなわちコピー禁止するように更新されたＣＧＭＳ信号が検出されるはずである。
この場合、一回コピーを許可する内容の電子透かし情報とコピーを禁止する内容のＣＧＭＳ信号とが出力制御回路４９に入力されるため、この電子透かし情報とＣＧＭＳ信号とが合理的な関係にあると認識して再生を許可する信号を映像信号処理回路４３に供給する。しかし、記録可能なディスクで記録した場合、電子透かし情報は原画像信号の一回限りのコピー許可を示す信号であっても良いが、ＣＧＭＳ信号は世代更新されていなけばならない。それにも拘わらず、一回コピーを許可するままであれば、これは記録時にＣＧＭＳ信号を正しく更新しないままコピーを行ったと推察される。
従って、このような場合、出力制御回路４９は正常に更新動作がされていないと判断してその出力を遮断する。
【００３０】
電子透かし検出回路４７で電子透かし情報が検出されたにも拘わらず、ＣＧＭＳ信号検出回路４８からＣＧＭＳ信号が検出されない場合には、何らかの不正な操作があったとして、出力制御回路４９からは再生を禁止する信号が映像信号処理回路４３に供給され、映像信号の再生が禁止される。
仮に、何らかの手段によって、電子透かし情報がコピー禁止となっており、且つＣＧＭＳ信号もコピー禁止となっている放送信号を記録可能なディスクに記録した場合には、出力制御回路４９には電子透かし情報及びＣＧＭＳ信号の両方がコピー禁止の信号が供給されるので、この回路４９からは再生を禁止する信号が映像信号処理回路４３に供給され、再生は禁止される。
なお、電子透かし信号及びＣＧＭＳ信号が共に検出されない場合にはコピーが禁止されていないため、出力制御端子からは再生を許可する信号が出力される。
【００３１】
ディスク４０の映像信号が再生許可された場合、この信号を記録装置に接続して記録することが考えられる。コピーフリーの場合には当然記録が可能であるが、そうでない場合には、ＣＧＭＳ信号がコピー禁止となっているために、これを検出してコピーは阻止される。例えば、ＣＧＭＳ信号の振幅を最大にしておけばこの信号によって、ＡＧＣ制御回路（図示せず）が増幅器の利得が最低になるように制御され、信号が出力されないため、結果的にコピーすることが出来ない。
【００３２】
ディスプレイで映像信号を再生する場合には、ディスプレイにこのＣＧＭＳ信号を抜き取る抜き取りパルスを発生させ、この抜き取りパルスによって、このＣＧＭＳ信号を抜き取り、このＣＧＭＳ信号に利得制御回路が応答しないようにすれば良い。
このように出力制御回路４９は電子透かし情報とＣＧＭＳ信号の更新結果をチェックして再生制御を行なっている。
【００３３】
図５は本発明によるコピー制御情報処理装置の他の一実施例を示すブロック図である。図５において、図４のブロックと同じ機能を有するブロックには同じ参照番号を付ける。
図５において、ディスク４０が記録可能なＲＡＭディスクか、再生専用のＲＯＭディスクかを判別するためのディスクの種類判別回路５３が新たに設けられている。このディスクの種類判別回路５３は光ディスク装置に設けられているトラッキングサーボ回路を利用している。ＲＦ増幅器５４から取り出された再生信号をＲＡＭ用トラッキング制御信号発生回路５５とＲＯＭ用トラッキング制御信号発生回路５６に供給する。回路５５の出力を振幅検出回路５７に供給し、回路５６の出力を振幅検出回路５８に供給すると、ディスク４０の種類と合っている方の振幅検出回路５７又は５８から振幅の大きい信号が取り出され、合っていない振幅検出回路の出力からは振幅の小さい信号が取り出されるため、判別回路の出力にはディスク４０の種類に応じたディスク判別信号（例えば、プラスまたはマイナスの信号）が取り出される。このディスク判別信号はスイッチ６０を制御し、ＲＡＭ用トラッキング制御信号発生回路５５又はＲＯＭ用トラッキング制御信号発生回路５６のいずれか一方の端子をドライブ回路６１に接続する。また、このディスクの判別回路５９の出力は出力制御回路４９に供給される。出力制御回路４９はディスクの判別結果をもらい、記録可能な場合と再生専用によってその判別結果を変えている。
【００３４】
例えば、ＲＡＭディスクの場合、電子透かし情報が一回の記録可能になっており、ＣＧＭＳ信号も一回の記録可能になっていることがある。ところが、ＲＡＭディスクの場合、すでにディジタル放送信号等を記録したものであるため、電子透かし情報が変更されない場合には電子透かし情報は一回の記録可能になっており、ＣＧＭＳ信号は世代更新されて、コピー禁止になるのが通常であり、ＣＧＭＳ信号が一回のコピー可能となっている場合には前述したように何らかの不正が行われたと推測できる。すなわちＲＯＭディスクもＲＡＭディスクも同じ情報にも拘わらず、ＲＯＭディスクの場合には再生を許可し、ＲＡＭディスクの場合には再生を禁止する必要がある。ところか、ディスクの種類を判別する信号を出力制御回路４９に供給することによって、これを防ぐことができる。
【００３５】
図６は本発明によるコピー制御情報を備えた映像信号の処理装置のさらに他の実施例を示すブロック図である。図において、６３はディスク種類判別回路であり、このディスク種類判別回路６３にはディスク４０に記録されたディスクの種類を示す信号が信号読み出し回路４２を通して供給される。ディスク種類判別回路６３の出力から得られたディスク４０の種類を示す信号は出力制御回路４９に供給され、図５を用いて説明したようにディスク４０の種類によって、出力制御回路４９の制御内容が変更される。
【００３６】
以下、再生プレーヤから再生された信号を記録ディスクに記録する場合の回路構成及びその動作について図７を用いて説明する。
図７は本発明によるコピー制御情報を備えた映像信号の処理装置のさらに他の実施例である。図において、７１は再生プレーヤである。再生プレーヤ７１で再生された信号中に含まれる電子透かし情報は電子透かし検出回路４７で検出され、再生信号内のＣＧＭＳ信号、又は電子透かし情報とＣＧＭＳ信号の世代を書き換える世代書き換え及び出力制御回路７２に供給される。再生信号中に含まれているＣＧＭＳ信号はＣＧＭＳ信号検出回路４８で検出されＣＧＭＳ信号更新回路７３に供給され、ここで、検出されたＣＧＭＳ信号は一定の規則にしたがって更新される。
ここで一定の規則とは検出された信号が一回コピー可能な信号ならばこれ以上のコピー禁止信号へ変換され、コピー自由なら何ら変更を加えず、そしてこれ以上のコピー禁止ならば記録回路の動作を止めるものである。
【００３７】
ＣＧＭＳ信号更新回路７３から出力された世代が更新されたＣＧＭＳ信号は世代書き換え及び出力制御回路７２に供給される。又、世代書き換え及び出力制御回路７２には信号読み出し回路４２及び映像信号処理回路４３を通して映像信号が供給されており、世代更新されたＣＧＭＳ信号、又はこのＣＧＭＳ信号と電子透かし情報はこの世代書き換え及び出力制御回路７２で書き換えられた後、変調回路等から構成される記録回路７４を通して記録可能なディスク７５、例えばＲＡＭディスクに記録される。また、世代書き換え及び出力制御回路７２では電子透かし情報と世代が更新されたＣＧＭＳ信号の内容が合理的か否かをチェックする。
ここで、ＣＧＭＳ信号の世代更新は図３のＣＧＭＳ信号３１ａ，３１ｂに示す２ビットの信号を“１０”から“１１”に変更することによって行われる。ここで世代書き換え及び出力制御回路７２において電子透かし情報とＣＧＭＳ信号更新回路７３から出力されるＣＧＭＳ信号の内容が合理的でない場合には記録を止める。
例えば、電子透かし情報がコピー禁止であり、ＣＧＭＳ信号もコピー禁止の場合は世代書き換え及び出力制御回路７２から映像信号が出力されない。電子透かし情報がコピー可能であり、ＣＧＭＳ信号がコピー可能な場合は世代書き換え及び出力制御回路７２から映像信号が出力され、ディスク７５に記録される。
【００３８】
電子透かし情報が一回のコピーが可能であり、ＣＧＭＳ信号が一回のコピー可能からコピー禁止に書き換え作業が行われている場合には、世代書き換え及び出力制御回路７２から映像信号が出力されディスク７５への記録が行われる。
電子透かし情報が一回のコピー可能からコピー禁止に書き換え作業が行われており、ＣＧＭＳ信号が一回のコピー可能からコピー禁止に書き換え作業が行われている場合には、世代書き換え及び出力制御回路７２から映像信号が出力されてディスク７５への記録作業が続行される。
ところが、電子透かし情報はコピー禁止を示しているにも拘わらず、世代更新されたＣＧＭＳ信号が一回のコピー可能からコピー禁止に書き換えられる場合には本来コピー禁止だったはずのディスクに新たにＣＧＭＳ信号を追加記録してこの信号を一回のコピーが可能とした場合である。
このように本来あるべきでない信号形態が検出されると世代書き換え及び出力制御回路７２において二つの信号間で合理性がないとして世代書き換え及び出力制御回路７２は映像信号を出力させない。
【００３９】
図８は本発明によるコピー制御情報を備えた映像信号の処理装置のさらに他の実施例を示すブロック図である。図７に示すブロック図においては、ＭＰＥＧ解除がされていない、圧縮された信号が電子透かし検出回路４７及びＣＧＭＳ信号検出回路４８に供給されているが、図８のブロック図ではＭＰＥＧ処理回路８１が設けられ、ＭＧＥＧがデコードされた信号が電子透かし検出回路４７に供給される。また、ディスク７５に記録する場合にはＭＰＥＧ圧縮回路８２で再びＭＰＥＧ圧縮される点が異なっているが、その他の点は同じであるため、説明を省略する。
【００４０】
このようにＭＰＥＧ圧縮された信号上で電子透かし情報やＣＧＭＳ信号を検出する場合とＭＰＥＧ圧縮処理を解除した映像信号を用いて電子透かし情報やＣＧＭＳ信号を検出する場合がある。電子透かし情報の検出とＣＧＭＳ信号の処理はどちらの信号でおこなっても良い。
【００４１】
【発明の効果】
以上述べたように、本発明によれば映像信号の輝度信号を変えて画像に記録された電子透かし情報と、映像信号に挿入されたＣＧＭＳ信号をもちて、この二つの信号が合理的な関係を示す時に再生あるいは記録を許可することによって、単独で使用する場合に比べてより確実性のあるコピー制御を行う事が可能となる。
【図面の簡単な説明】
【図１】図１は本発明によるコピー制御情報の記録装置の一実施例を示すブロック図である。
【図２】図２は電子透かし情報の埋め込み方法を説明するための画素の輝度値を直線表示した模式図である。
【図３】図３は世代管理信号が付加されたテレビジョン信号の概略の一実施例を示す模式図である。
【図４】図４は本発明によるコピー制御情報を備えた映像信号の処理装置の一実施例を示すブロック図である。
【図５】図５は本発明によるコピー制御情報を備えた映像信号の処理装置の他の実施例を示すブロック図である。
【図６】図６は本発明によるコピー制御情報を備えた映像信号の処理装置の更に他の実施例を示すブロック図である。
【図７】図７は本発明によるコピー制御情報を備えた映像信号の処理装置の更に他の実施例を示すブロック図である。
【図８】図８は本発明によるコピー制御情報を備えた映像信号の処理装置の更に他の実施例を示すブロック図である。
【符号の説明】
１…入力回路、３…変更可能範囲算出回路、５…情報埋め込み処理回路、９…加算回路、７…ＣＧＭＳ信号発生回路、１１…色信号回路、１２…出力回路、４２…信号読み出し回路、４３…映像信号処理回路、４７…電子透かし検出回路、４８…ＣＧＭＳ信号検出回路、４９…出力制御回路、７２…世代書き換え出力制御回路、７３…ＣＧＭＳ信号更新回路、７４…記録回路、８１…ＭＰＥＧ処理回路。
【図１】
0003652135.tif 000002
【図２】
0003652135.tif 000003
【図３】
0003652135.tif 000004
【図４】
0003652135.tif 000005
【図５】
0003652135.tif 000006
【図６】
0003652135.tif 000007
【図７】
0003652135.tif 000008
【図８】
0003652135.tif 000009